(57)【要約】      （修正有）【課題】使用者が接触入力動作を行う時に同時に光点効果を発生できるポインター入力装置を提供する。【解決手段】スクリーン４１の表面の近くに分布形成され、光源発生モジュール４３によって、発生、出力される複数個のシート状ビームの光源光学層と、実体物がシート状光学層４２を干渉した後、複数個の反射光源の光点が形成され、スクリーン内の光点の対応表示位置にポインター入力動作を発生させる検知装置４５を含む。【選択図】図２Ｂ
0003161486.tif 000002
【実用新案登録請求の範囲】
【請求項１】
シート状の光学層を有するポインター入力装置であって、
スクリーンの表面近くに分布形成される、複数個のシート状ビームのシート状光学層と、
実体物が前記シート状光学層に介入した後に形成される複数個の反射ビームの光点を検知するために用いられ、前記スクリーン内の対応される前記光点の対応表示位置を提供することによって、ポインター入力動作を発生させる検知装置を含み、
前記シート状光学層はスポット光源の光源発生モジュールによって展開形成されるシート状の光学層であり、
実体物が前記シート状光学層に干渉した後、前記シート状ビームは阻止されるので、実体物は反射発光状の前記光点を形成させることを特徴とする、シート状光学層を有するポインター入力装置。
【請求項２】
前記シート状光学層は平面或いは、曲面の光学層であることを特徴とする、請求項１に記載のシート状の光学層を有するポインター入力装置。
【請求項３】
前記光源発生モジュールは単一の光源発生モジュールであって、
前記スクリーンの特定の角の近くに設置されるか、或いは、前記光源発生モジュールは二組の光源発生モジュールを含み、
それぞれ前記スクリーンの左右両側の角に設置されるか、或いは、前記光源発生モジュールは、二組の光源発生モジュールを含み、
それぞれ前記スクリーンの上部側面と底部側面のどちらか一つと、左側側面と右側側面のどちらか一つか、或いは、前記光源発生モジュールは三組以上の線形配列の光源発生モジュールであることを特徴とする、請求項１に記載のシート状の光学層を有するポインター入力装置。
【請求項４】
前記光源発生モジュールはさらに、前記スクリーンの表面近くに設置され、スポット光源のビーム源となる発光部材と、前記発光部材の方法に対応して設置され、前記ビーム源に対応するために、前記スクリーンの表面において、屈折或いは、反射をさせ、前記これらのシート状ビームの前記シート状光学層を発生させる光経路修正構造を含むことを特徴とする、請求項１に記載のシート状光学層を有するポインター入力装置。
【請求項５】
前記光経路修正構造は複数個の水平配列の傾斜状態の透過レンズと屈折レンズ或いは、反射レンズを含み、ビームにこれらの傾斜状態の透過レンズと屈折レンズ或いは、反射レンズを通過させた後、それぞれ屈折或いは反射部分の光源に基づき、これらのシート状のビームが発生、形成され、或いは、前記光経路修正構造は多辺形の屈折レンズ或いは反射レンズを含み、
前記多辺形の屈折レンズ、或いは、反射レンズを回転させることによって、前記ビームを屈折或いは、反射させ、これらのシート状のビームを発生、形成させ、或いは、前記光経路修正構造は単面屈折レンズ或いは、反射レンズを含み、
前記単面屈折レンズ或いは、反射レンズを回転させることによって、前記ビームを屈折或いは反射させ、これらのシート状ビームを発生、形成させ、或いは、前記光経路修正構造は半月型の凸凹レンズであることを特徴とする、請求項４に記載のシート状光学層を有するポインター入力装置。
【請求項６】
前記光経路修正構造はさらに、前記多辺形の屈折レンズ或いは、反射レンズの特定の縁の前方か、前記単面屈折或いは、反射レンズの前方に置かれる角度拡大レンズを含むことを特徴とする、請求項５に記載のシート状光学層を有するポインター入力装置。
【請求項７】
これらのシート状ビームは互いに干渉せず、或いは、交互に干渉されることを特徴とする、請求項４に記載のシート状光学層を有するポインター入力装置。
【請求項８】
これらのシート状ビームを前記実体物によって干渉される作用領域内に向けさせる別の光経路修正構造をさらに含むことを特徴とする、請求項４に記載のシート状光学層を有するポインター入力装置。
【請求項９】
前記別の光経路修正構造は複数個の平面反射レンズ或いは、複数個の曲面反射レンズを含むことを特徴とする、請求項８に記載のシート状光学層を有するポインター入力装置。
【請求項１０】
前記検知装置は単一の撮影構造或いは、検知配列（ｌｉｎｅａｒ  ａｒｒａｙ）であり、
前記スクリーンの前方か後方に設置され、或いは、前記検知装置が両撮影構造か検知配列を含み、それぞれ前記スクリーンの左右角の近くに設置され、或いは前記検知装置が両撮影構造か検知配列を含み、それぞれ前記スクリーンの上部側面と底部側面のどちらかの一つと、左側側面と右側側面のどちらかの一つの近くに設置され、或いは、前記検知装置は三組以上の線形配列の撮影構造や検知配列を含み、或いは、前記検知装置は複数個の光受信部材であり、前記スクリーンの四方表面の中の少なくとも一側面に分布されることを特徴とする、請求項１に記載のシート状光学層を有するポインター入力装置。
【請求項１１】
前記実体物が指か数本の指、或いは、棒状のものであることを特徴とする、請求項１に記載のシート状光学層を有するポインター入力装置。
【請求項１２】
前記スクリーンはパソコンのスクリーンか、テレビのスクリーンか、移動式装置のスクリーンか、タッチパネルのスクリーンか、多ディスプレイテレビか、或いは投影スクリーンであることを特徴とする、請求項１に記載のシート状光学層を有するポインター入力装置。
【請求項１３】
前記ポインター入力動作は同期確認と少なくともマウスの右左クリック、光点位置、光点の大小、および／または、接触の圧力などデータ内のポインター入力データの入力を含むことを特徴とする、請求項１に記載のシート状光学層を有するポインター入力装置。
【請求項１４】
シート状光学層を有するポインター入力装置であって、
スクリーンの表面の近くに設置され、スポット光源のビーム源を発生させる、発光部材と、
前記発光部材の方法に対応し設置され、前記ビーム源に反応し、前記スクリーンの表面屈折によって発生される複数個のシート状ビームのシート状光学層を有する、光経路修正構造と、
実体物が前記シート状光学層に干渉した後、前記シート状ビームと反射形成される複数個の反射ビームは阻止され、前記実体物の干渉位置データが得られ、前記スクリーン内の相対応する前記干渉位置データの対応される表示位置にポインター入力動作を発生させる検知装置を含むことを特徴とする、シート状光学層を有するポインター入力装置。
【請求項１５】
前記シート状光学層は平面或いは、曲面の光学層であることを特徴とする、請求項１４に記載のシート状光学層を有するポインター入力装置。
【請求項１６】
前記発光部材と前記光経路修正構造は組み合わされて光源発生モジュールとなることを特徴とする、請求項１４に記載のシート状光学層を有するポインター入力装置。
【請求項１７】
前記光源発生モジュールは単一の光源発生モジュールであって、
前記スクリーンの特定の角の近くに設置され、或いは、前記光源発生モジュールは二組の光源発生モジュールを含み、
それぞれ前記スクリーンの左右の角の近くに設置され、或いは、前記光源発生モジュールは二組の光源発生モジュールを含み、
それぞれ前記スクリーンの上部側面と底部側面のどちらかと、左側側面と右側側面のどちらかの近くに設置され、或いは、前記光源発生モジュールは三組以上の線形配列の光源発生モジュールを含むことを特徴とする、請求項１６に記載のシート状光学層を有するポインター入力装置。
【請求項１８】
前記光経路修正構造は複数個の水平配列の傾斜状態の透過レンズと屈折レンズ或いは、反射レンズを含み、前記ビームに前記傾斜状態の透過レンズと屈折レンズ或いは、反射レンズを通過させた後、それぞれ屈折或いは反射部分の光源に基づき、前記シート状の光源が発生、形成され、或いは、前記光経路修正構造は多辺形の屈折レンズ或いは反射レンズを含み、
前記多辺形の屈折レンズ、或いは、反射レンズを回転させることによって、前記ビームを屈折或いは、反射させ、前記シート状の光源を発生、形成させ、或いは、前記光経路修正構造は単面屈折レンズ或いは、反射レンズを含み、
前記単面屈折レンズ或いは、反射レンズを回転させることによって、前記ビームを屈折或いは反射させ、前記シート状ビームを発生、形成させ、或いは、前記光経路修正構造は半月型の凸凹レンズであることを特徴とする、請求項１４に記載のシート状光学層を有するポインター入力装置。
【請求項１９】
前記光経路修正構造はさらに前記多辺形の屈折レンズや反射レンズの特定辺の前方、或いは、前記単面屈折や反射レンズ前面に設置され、前記シート状ビームの屈折角度と屈折数量が拡大される角度拡大レンズをさらに含むことを特徴とする、請求項１８に記載のシート状光学層を有するポインター入力装置。
【請求項２０】
前記シート状ビームは互いに干渉せず、或いは、交互に干渉されることを特徴とする、請求項１４に記載のシート状光学層を有するポインター入力装置。
【請求項２１】
前記シート状ビームを前記実体物によって干渉される作用領域内に向けさせる別の光経路修正構造をさらに含むことを特徴とする、請求項１４に記載のシート状光学層を有するポインター入力装置。
【請求項２２】
前記別の光経路修正構造は複数個の平面反射レンズ或いは、複数個の曲面反射レンズを含むことを特徴とする、請求項２１に記載のシート状光学層を有するポインター入力装置。
【請求項２３】
前記検知装置は単一の撮影構造或いは、検知配列（ｌｉｎｅａｒ  ａｒｒａｙ）であり、
前記スクリーンの前方か後方に設置され、或いは、前記検知装置が両撮影構造か検知配列を含み、
それぞれ前記スクリーンの左右両角の近くに設置され、或いは、前記検知装置は両撮影構造や検知配列を含み、
それぞれスクリーンの上部側面と底部側面のどちらかの一つと、左側側面と右側側面のどちらかの一つの近くに設置され、或いは、前記検知装置は三組以上の線形配列の撮影構造や検知配列を含み、或いは、前記検知装置は複数個の光受信部材であり、
前記スクリーンの四方表面の中の少なくとも一側面に分布されることを特徴とする、請求項１４に記載のシート状光学層を有するポインター入力装置。
【請求項２４】
前記実体物は指か数本の指、或いは、棒状のものであることを特徴とする、請求項１４に記載のシート状光学層を有するポインター入力装置。
【請求項２５】
前記スクリーンはパソコンのスクリーンか、テレビのスクリーンか、移動式装置のスクリーンか、タッチパネルのスクリーンか、多ディスプレイテレビか、或いは投影スクリーンであることを特徴とする、請求項１４に記載のシート状光学層を有するポインター入力装置。
【請求項２６】
前記実体物が前記シート状光学層に干渉した後、前記シート状ビームによって阻止され、反射発光状の光点は前記実体物によって形成されることを特徴とする、請求項１４に記載のシート状光学層を有するポインター入力装置。
【請求項２７】
前記ポインター入力動作は同期確認と少なくともマウスの右左クリック、光点位置、光点の大小、および／或いは、接触の圧力などデータ内のポインター入力データの入力を含むことを特徴とする、請求項２６に記載のシート状光学層を有するポインター入力装置。
【考案の詳細な説明】
【技術分野】
【０００１】
本考案は、ポインター入力装置に関し、より詳しくは、平面或いは、曲面の光学層を有するポインター入力装置に関する。
【背景技術】
【０００２】
ポインター入力装置に関する発展技術は、使用者により簡単で、即時反応でき、且つ優れた相互性を提供できる入力操作インターフェースである。
図１Ａ〜１Ｃはそれぞれ、従来の三種のポインター入力装置の概略図である。
図１Ａに示した従来のポインター入力装置１０においては、少なくとも一つのスクリーン１２（スクリーンのようなもの）、背面投射型投影装置１３、及び検知装置１４（検知装置或いは、光線受信部材のようなもの）を含む。そのうち、前記背面投射型投影裝置１３と前記検知装置１４の投影ビーム範囲と検知ビーム範囲は、それぞれＩ１１、Ｉ１２を表す。
【０００３】
使用者１１がレーザー光線指示器或いは、指示棒（図示せず）を用いて、指示点が伝送動作Ｍ（投射或いは導く）を経過して、前記スクリーン１２の対応表示位置Ｘ１に伝送される時、前記検知装置１４の検知と映像信号の比較、分析（前記投影裝置１３と前記検知装置１４のホストに電気的に接続しこれを行う、図示せず）により、前記対応表示位置Ｘ１の具体的な座標を知ることができる。このように、前記ホストは前記対応表示位置Ｘ１に対応したスクリーン位置にあり、ポインター入力動作を行うことができる。
【０００４】
図１Ｂは、他の従来のポインター入力装置であり、図１Ｂに示した従来のポインター入力装置２０は、少なくとも一つのスクリーン２１、及び左右の角に設置される二つの検知装置２２、２３（二つの検知装置でよい）を含む。そのうち、前記スクリーン２１は一般的なテレビ、液晶テレビ、プラズマテレビ、タッチパネル、移動式の装置等の電子製品のスクリーンでよい。
【０００５】
使用者が主動的に光線を発するライトペン（図示せず）を前記スクリーン２１の対応表示位置Ｘ２に設置する時、これらの検知裝置２２、２３の投影と映像信号の比較、分析（前記スクリーン２１と前記二つの検知裝置２２、２３のホストに電気的に接続しこれを行う、図示せず）により、前記対応表示位置Ｘ２の具体的な座標（即ち光点位置）を知ることができる。このように、前記ホストは、前記対応表示位置Ｘ２に対応するスクリーン位置にあり、ポインター入力動作を行うことができる。
【０００６】
その他に前記スクリーン２１の左右両側に発光光線２４、２５を増設し、且つ前記二つの検知装置２２、２３を光線受信部材に変え、これらの発光光線２４、２５が発生させるビーム源Ｉ２１の受信を持続させる。一旦何らかの実体物が、これらの発光光線２４、２５が覆うことのできるビーム源区域に入ると、前記実体物の阻止により、前記二つの光線受信部材２２、２３が受信できるビーム源が部分的に遮られる。このように、前記二つの光線受信部材２２、２３の検知と影像信号の比較、分析（パソコンによって前記スクリーン２１と前記二つの光線受信部材２２、２３のホストに接続し、これを行う、図示せず）により、前記対応表示位置Ｘ２の具体的な座標を知ることができる（即ち遮断位置）。このようにして、前記ホストは前記対応表示位置Ｘ２に対応するスクリーン位置にあって、ポインター入力動作を行うことができる。
【０００７】
図１Ｃは、他のの従来のポインター入力装置で、図１Ｃに示した従来のポインター入力装置３０は、少なくとも一つのスクリーン３１、前記スクリーン３１の頂部側辺と左側側辺に設置される複数の光線発射部材３２、及び前記スクリーン３１の底部側辺と右側側辺に設置される複数の光線受信部材３３を含む。且つ、これらの光線発射部材３２とこれらの光線受信部材３３は、相互に正確に合わせて設置される。それによってこれらの光線受信部材３３は対応を持続させ、これらの光線発射部材３２からのビーム源Ｉ３１を受信することができる。
【０００８】
前記スクリーン３１は、一般的なテレビ、液晶テレビ、プラズマテレビ、タッチパネル、移動式の装置等の電子製品のスクリーンである。使用者が指、或いは棒状のものを用いて、実体物を前記スクリーン３１の対応表示位置Ｘ３に設置する時、これらの光線発射部材３２によって発生される部分ビームを阻止するため、光線受信部材３３が部分的に遮られ、ビーム源を受信できず、このように、即ちスムーズに前記対応表示位置Ｘ３の具体的な座標を判断できる。また前記スクリーン３１のホスト（図示せず）に電気的に接続し、前記対応表示位置Ｘ３のスクリーン位置に対応させ、ポインター入力動作を行うことができる。
【考案の概要】
【考案が解決しようとする課題】
【０００９】
しかしながら、前述した従来の技術では、主動的に発行するライトペンを使用できる以外は、全て検知ビーム源が区域を遮られる技術を採用しており、正確なポインター入力位置を判断することによると、これらの技術は、使用者にとって、直接に感じられることはなく、特に接触動作を行いたい時に、スムーズに「接触」の感覚を表現できない。
【００１０】
本考案は、このような従来の問題点に鑑みてなされたものである。前記課題解決のため、本考案は、使用者が接触入力動作を行う時、同時に光点効果を発生できるシート状光学層を有するポインター入力装置を提供することを主目的とする。
【課題を解決するための手段】
【００１１】
本考案によれば
シート状の光学層を有するポインター入力装置であって、
スクリーンの表面近くに分布形成される、複数個のシート状ビームのシート状光学層と、
実体物が前記シート状光学層に介入した後に形成される複数個の反射ビームの光点を検知するために用いられ、前記スクリーン内の対応される前記光点の対応表示位置を提供することによって、ポインター入力動作を発生させる検知装置を含み、
前記シート状の光学層はスポット光源の光源発生モジュールによって展開形成されるシート状の光学層であり、前記実体物が前記シート状光学層に干渉した後、前記シート状ビームは阻止されるので、前記実体物は反射発光状の前記光点を形成させることを特徴とする、シート状光学層を有するポインター入力装置が提供される。
【００１２】
本考案によれば、前記シート状光学層は平面或いは、曲面の光学層である。
【００１３】
本考案によれば、前記光源発生モジュールは単一の光源発生モジュールで前記スクリーンの特定の角の近くに設置される。
【００１４】
本考案によれば、前記光源発生モジュールは二組の光源発生モジュールを含み、それぞれ前記スクリーンの左右両側の角に設置される。
【００１５】
本考案によれば、前記光源発生モジュールは、二組の光源発生モジュールを含み、それぞれ前記スクリーンの上部側面と底部側面のどちらか一つと、左側側面と右側側面のどちらか一つである。
【００１６】
本考案によれば、前記光源発生モジュールは三組以上の線形配列の光源発生モジュールである。
【００１７】
本考案によれば、前記光源発生モジュールはさらに、
前記スクリーンの表面近くに設置され、スポット光源のビーム源となる発光部材と、前記発光部材の方法に対応して設置され、前記ビーム源に対応するために、前記スクリーンの表面において、屈折或いは、反射をさせ、前記これらのシート状ビームの前記シート状光学層を発生させる光経路修正構造を含む。
【００１８】
本考案によれば、前記光経路修正構造は複数個の水平配列の傾斜状態の透過レンズと屈折レンズ或いは、反射レンズを含み、前記ビームに前記傾斜状態の透過レンズと屈折レンズ或いは、反射レンズを通過させた後、それぞれ屈折或いは反射部分の光源に基づき、前記これらのシート状の光源が発生、形成され。
【００１９】
本考案によれば、前記光経路修正構造は多辺形の屈折レンズ或いは反射レンズを含み、前記多辺形の屈折レンズ、或いは、反射レンズを回転させることによって、前記ビームを屈折或いは、反射させ、前記これらのシート状の光源を発生、形成させる。
【００２０】
本考案によれば、前記光経路修正構造は単面屈折レンズ或いは、反射レンズを含み、前記単面屈折レンズ或いは、反射レンズを回転させることによって、前記ビームを屈折或いは反射させ、前記これらのシート状ビームを発生、形成させる。
【００２１】
本考案によれば、前記光経路修正構造はさらに、前記多辺形の屈折レンズ或いは、反射レンズの特定の縁の前方か、前記単面屈折或いは、反射レンズの前方に置かれる角度拡大レンズを含む。
【００２２】
本考案によれば、前記光経路修正構造は半月型の凸凹レンズである。
本考案によれば、前記これらのシート状ビームは互いに干渉せず、或いは、交互に干渉される。
【００２３】
本考案によれば、前記これらのシート状ビームを前記実体物によって干渉される作用領域内に向けさせる別の光経路修正構造をさらに含む。
【００２４】
本考案によれば、前記別の光経路修正構造は複数個の平面反射レンズ或いは、複数個の曲面反射レンズを含む。
本考案によれば、前記検知装置は単一の撮影構造或いは、検知配列（ｌｉｎｅａｒ  ａｒｒａｙ）で、前記スクリーンの前方か後方に設置される。
【００２５】
本考案によれば、前記検知装置が両撮影構造か検知配列を含み、それぞれ前記スクリーンの左右角の近くに設置される。
【００２６】
本考案によれば、前記検知装置が両撮影構造か検知配列を含み、それぞれ前記スクリーンの上部側面と底部側面のどちらかの一つと、左側側面と右側側面のどちらかの一つの近くに設置される。
【００２７】
本考案によれば、前記検知装置は三組以上の線形配列の撮影構造や検知配列を含む。
【００２８】
本考案によれば、前記検知装置は複数個の光受信部材で、前記スクリーンの四方表面の中の少なくとも一側面に分布される。
【００２９】
本考案によれば、前記実体物は指か数本の指、或いは、棒状のものである。
【００３０】
本考案によれば、前記スクリーンはパソコンのスクリーンか、テレビのスクリーンか、移動式装置のスクリーンか、タッチパネルのスクリーンか、多ディスプレイテレビか、投影スクリーンのいずれかを含む。
【００３１】
本考案によれば、前記ポインター入力動作は同期確認と少なくともマウスの右左クリック、光点位置、光点の大小、および／または、接触の圧力などデータ内のポインター入力データの入力を含む。
【００３２】
本考案によれば，シート状光学層を有するポインター入力装置であって、
スクリーンの表面の近くに設置され、スポット光源のビーム源を発生させる、発光部材と、
前記発光部材の方法に対応し設置され、前記ビーム源に反応し、前記スクリーンの表面屈折によって発生される複数個のシート状ビームのシート状光学層を有する、光経路修正構造と、
実体物が前記シート状光学層に干渉した後、前記シート状ビームと反射形成される複数個の反射ビームは阻止され、前記実体物の干渉位置データが得られ、前記スクリーン内の相対応する前記干渉位置データの対応される表示位置にポインター入力動作を発生させる検知装置を含む。
【００３３】
本考案によれば、前記シート状光学層は平面或いは、曲面の光学層である。
【００３４】
本考案によれば、前記発光部材と前記光経路修正構造は組み合わされて光源発生モジュールとなる。
【考案の効果】
【００３５】
本考案に係るポインター入力装置は、使用者が接触入力動作を行う時に、同時に光点効果を発生できる。
【図面の簡単な説明】
【００３６】
【図１Ａ】従来のポインター入力装置の概念を示す概略図
【図１Ｂ】従来のポインター入力装置の概念を示す概略図
【図１Ｃ】従来のポインター入力装置の概念を示す概略図
【図２Ａ】本考案の第一実施例に係る接触入力動作が行われる前を側面からみた概念を示す概略図
【図２Ｂ】本考案の第一実施例に係る接触入力動作が行われた後を側面からみた概念を示す概略図
【図３Ａ】図２Ａと図２Ｂのシート状光学層の光源発生モジュールよって発生させられる、異なる実施形態の概念を示す概略図
【図３Ｂ】図２Ａと図２Ｂのシート状光学層の光源発生モジュールよって発生させられる、異なる実施形態の概念を示す概略図
【図３Ｃ】図２Ａと図２Ｂのシート状光学層の光源発生モジュールよって発生させられる、異なる実施形態の概念を示す概略図
【図３Ｄ】図２Ａと図２Ｂのシート状光学層の光源発生モジュールよって発生させられる、異なる実施形態の概念を示す概略図
【図３Ｅ】図２Ａと図２Ｂのシート状光学層の光源発生モジュールよって発生させられる、異なる実施形態の概念を示す概略図
【図３Ｆ】図２Ａと図２Ｂのシート状光学層の光源発生モジュールよって発生させられる、異なる実施形態の概念を示す概略図
【図４】本考案の第二実施例に係る接触入力動作が行われる前を側面からみた概念を示す概略図
【図５】本考案の第三実施例に係る接触入力動作が行われる前を上部からみた概念を示す概略図
【図６】本考案の第四実施例に係る接触入力動作が行われる前を上部からみた概念を示す概略図
【考案を実施するための形態】
【００３７】
以下に図面を参照しながら本考案に係る実施例について詳細に説明する。なお、本考案は以下に説明する実施例に限定されるものではない。
図２Ａ、２Ｂは本考案の第一実施例に係るポインター入力装置であり、接触入力動作が行われる前後を側面から見た概念を示す概略図である。
図２Ａ、２Ｂにおいて、ポインター入力装置４０は、少なくとも一つの側面からみたスクリーン４１、複数個のシート状ビームを有する平面或いは曲面形式を成すシート状光学層４２、前記シート状光学層４２を発生、入力できる光源発生モジュール４３、投影裝置４４及び検知装置４５（投影裝置、検知配列（ｌｉｎｅａｒ  ａｒｒａｙ）或いは光線受信部材など）を含む。
前記光源発生モジュール４３の内部組成、設置位置及び、これらのシート状ビームの発生方式については、別の図３Ａ〜図３Ｆを用いて後で説明する。
また、前記投影裝置４４と前記検知装置４５の投影ビーム範囲と検知ビーム範囲はそれぞれＩ４１、Ｉ４２で表す。
【００３８】
ここで、前記シート状光学層４２は、前記スクリーン４１の表面に貼りつき分布形成している。且つ図２Ｂで示す実体物Ｆが前記シート状光学層４２に介入する前に、前記検知装置４５は、明確な反射性のビーム源を受信、或いは投影せず、作用区内より発射する。
当然、前記実体物Ｆは前記シート状光学層４２に介入した後、前記シート状光学層４２中のこれらのシート状ビームを干渉した結果、複数個の反射ビームＬＲ１〜ＬＲ５の光点を発生する。これによって、前記スクリーン４１中に前記光点に対応する対応表示位置Ｘ４を提供し、ポインター入力動作を発生する。
そのうち、前記実体物Ｆが介入前記シート状光学層４２に介入した後、これらのシート状ビームを阻止し、前記実体物Ｆに周囲が反射発光状を呈する前記光点を形成させる。
【００３９】
また、前記実体物Ｆは指（図２Ｂで示す）か数本の指、或いは、棒状のもの（図示せず）であり、前記スクリーン４１はパソコンのスクリーンか、テレビのスクリーンか、移動式裝置のスクリーン、タッチパネルのスクリーンか、多ディスプレイテレビか、投影スクリーンである。
【００４０】
図３Ａ〜図３Ｆはそれぞれシート状光学層４２によって発生させられる前記光源発生モジュール４３の各種の異なる実施形態を示したである。
ここでまず説明するのは、前記光源発生モジュールは図３Ａ〜図３Ｄで示すように、全て単一の発光部材と光経路修正構造所によって共同で構成される。且つ前記光源発生モジュールは、前記スクリーン４１に接近して設置されるが、前記光源発生モジュール４３は図３Ｅ、３Ｆで示すように、少なくとも二つ以上の発光部材から構成されることができる。
さらに、単一発光部材が電動旋回できる駆動裝置（図示せず）と組み合わさって構成する。
当然、ここで本技術を熟知する者は皆、前述の内容を参考した後、更なる各種の均等な変化と設計を行うことができるため、ここでは説明は省略する。
【００４１】
図３Ａ〜図３Ｅ（図２Ａ、２Ｂを参照）のどの図中においても、光源発生モジュール４３は全て、発光部材Ｌ１０、Ｌ２０、Ｌ３０、Ｌ４０、Ｌ５０１〜Ｌ５０２を含み、前記スクリーン４１の表面部に接近して設置され、且つスポット光源に所属するビーム源Ｌ１１、Ｌ２１、Ｌ３１、Ｌ４１、Ｌ５１１〜Ｌ５１２、及び光経路修正構造Ｄ１１〜Ｄ１５、Ｄ２、Ｄ３１、Ｄ３２、Ｄ４、Ｄ５を発生できる。
それぞれ前記発光部材Ｌ１０、Ｌ２０、Ｌ３０、Ｌ４０、Ｌ５０〜Ｌ５０２に対応する方法で設置され、且つそれぞれ前記ビーム源Ｌ１１、Ｌ２１、Ｌ３１、Ｌ４１、Ｌ５１１〜Ｌ５１２に対応し、それによって前記スクリーン４１の表面部に、これらのシート状ビームＬＢ１１〜ＬＢ１５、ＬＢ２１〜ＬＢ２５、ＬＢ３１〜ＬＢ３５、ＬＢ４１〜ＬＢ４５、ＬＢ５１〜ＬＢ５５を含む前記シート状光学層４２を屈折、或いは反射を発生させる。
【００４２】
しかし、これらのシート状ビームＬＢ１１〜ＬＢ１５、ＬＢ２１〜ＬＢ２５、ＬＢ３１〜ＬＢ３５、ＬＢ４１〜ＬＢ４５、ＬＢ５１〜ＬＢ５５を発生する細部方式は明らかに各所で異なる。
図３Ａで示すように、前記光経路修正構造は、複数個の水平配列の傾斜状態の透過レンズと屈折レンズ、或いは反射レンズＤ１１〜Ｄ１５を含み，これによって前記発光部材Ｌ１０が発生する前記ビーム源Ｌ１１は、これらの傾斜状態の透過レンズと屈折レンズ或いは反射レンズＤ１１〜Ｄ１５を貫通した後、順序通りそれぞれ部分光線を屈折させ、これらのシート状ビームＬＢ１１〜ＬＢ１５を発生、形成する。
【００４３】
図３Ｂで示す前記光経路修正構造は、多辺形の反射レンズＤ２を含み、且つ前記多辺形の屈折レンズ、或いは、反射レンズに転動動作Ｒを行わせ、それによって前記発光部材Ｌ２０が発生する前記ビーム源Ｌ２１を屈折または反射し、これらのシート状ビームＬＢ２１〜ＬＢ２５を発生、形成させる。
【００４４】
図３Ｃで示す前記光経路修正構造は、多辺形の屈折レンズ、或いは、反射レンズＤ３１を含む外、更に角度拡大レンズＤ３２を含むことができる。且つそれを前記多辺形の屈折レンズ、或いは、反射レンズＤ３１の特定辺の前方に設置し、それによって前記発光部材Ｌ３０が発生する前記ビーム源Ｌ３１を屈折或いは反射させた後、更にこれらのシート状ビームＬＢ３１〜ＬＢ３５の屈折角度と屈折数量を拡大する。当然、前記光経路修正構造はまた単面の屈折レンズまたは反射レンズ（図示せず）も含むことができる。
【００４５】
図３Ｄで示す前記光経路修正構造は、半月型の凸凹レンズＤ４であり、前記発光部材Ｌ４０が発生する前記ビーム源Ｌ４１の光線を屈折させ、これらのシート状ビームＬＢ４１〜ＬＢ４５を発生、形成する。同様に、図３Ｅで示すように、多数の発光部材Ｌ５０１〜Ｌ５０２を使用して、これらの発光部材Ｌ５０１〜Ｌ５０２が発生する前記ビーム源Ｌ５１１〜Ｌ５１２の光線を屈折させ、これによってこれらのシート状ビームＬＢ５１〜ＬＢ５５を形成する。
【００４６】
当然、これらのシート状ビームＬＢ１１〜ＬＢ１５、ＬＢ２１〜ＬＢ２５、ＬＢ３１〜ＬＢ３５、ＬＢ４１〜ＬＢ４５、ＬＢ５１〜ＬＢ５５は、互いに干渉せず、または互いに交錯干渉することができる。
【００４７】
図３Ｆは、前記光経路修正構造を除去し、多数の発光部材Ｌ６０１〜Ｌ６０５を直接使用して発光源としたものである。当然、これらの発光部材Ｌ６０１〜Ｌ６０5が発生する前記ビーム源Ｌ６１１〜Ｌ６１5は互いに異なる角度で外に向かって発射でき、または互いに平行に外に向かって発射できる（図６で示す）。
【００４８】
簡単に言うと、本考案によれば、図２Ｂ中の前記実体物Ｆ（指或いは数本の指）が前記シート状光学層４２に介入した後、これらのシート状ビームＬＢ１１〜ＬＢ１５、ＬＢ２１〜ＬＢ２５、ＬＢ３１〜ＬＢ３５、ＬＢ４１〜ＬＢ４５、ＬＢ５１〜ＬＢ５５、Ｌ６１１〜Ｌ６１5を阻害するため、前記実体物Ｆは、これらの反射ビームＬＲ１〜ＬＲ５がその周囲に表す反射発光状の少なくとも一つの光点を形成し、このように、使用者が行いたい指での、或いは接触入力動作が、より明確化される。当然、後述の前記の少なくとも一つの光点の位置情報と接触状態を確認、入力することに対しては、比較的好ましい判断を提供することができる。
【００４９】
図４は本考案の第二実施例に係るもので、接触入力動作が行われる前の側面からみた概念を示す概略図である。
図４において、ポインター入力装置５０は、少なくとも一つの側面からみたスクリーン５１、複数個のシート状ビームを有するシート状光学層５２、前記シート状光学層５２を発生、入力できる光源発生モジュール５３、前記スクリーン５１の上部左側及び／或いは右側に設置される検知装置５４（投影裝置、検知配列（ｌｉｎｅａｒ  ａｒｒａｙ）或いは光線受信部材）を含む。
そのうち、前記光源発生モジュール５３の内部構成について、設置位置及びこれらのシート状ビームの発生方式は、前述の図２Ａと図２Ｂで示す前記光源発生モジュール４３の通りであるため、ここでは再度説明しない。また、Ｉ５１を表すものは前記検知装置５４の検知ビーム範囲である。
【００５０】
ここで、前記シート状光学層５２は、前記スクリーン５１の表面部に接近して分布形成し、且つ図２Ｂで示すように、前記実体物Ｆが前記シート状光学層５２に介入する前には、前記検知装置５４は何らかの明確な反射性のビーム源も受信或いは投影しない。
当然、前記実体物Ｆが前記シート状光学層５２に介入した後は、前記シート状光学層５２中のこれらのシート状ビームを干渉した結果、複数個の反射ビームを含む光点を発生する。
【００５１】
図５は、本考案の第三実施例に係るもので、接触入力動作が行われる前を上部からみた概念を示す概略図である。
図５において、ポインター入力装置６０は、少なくとも、一つの上部からみたスクリーン６１、複数個のシート状ビームを有するシート状光学層６２、前記シート状光学層６２を発生、入力できる光源発生モジュール６３、及び前記スクリーン６１の底部側辺と右側側辺に設置された複数個の光線受信部材６４を含む。
そのうち、これらの光線受信部材６４の位置配置は、前記光源発生モジュール６３が発生するこれらのシート状光学層６２が、これらの光線受信部材６４と相互に合わないことを確保する必要があり、それによって、これらの光線受信部材６４は図２Ｂで示す前記実体物Ｆがこれらのシート状光学層６２に介入する前に、これらの光線受信部材６４は、如何に明確なビーム源も受信しない。
当然、前記実体物Ｆがこれらのシート状光学層６２に介入した後、これらのシート状光学層６２に干渉した結果、複数個の反射ビームを有する光点を発生する。
また、前記光源発生モジュール６３の比較的好ましい実施方式は、図３Ｆで示す通りである。
【００５２】
図６は、本考案の第四実施例に係るもので、接触入力動作が行われる前の上部からみた概念を示す概略図である。
図６において、ポインター入力装置７０は、少なくとも一つの上部からみたスクリーン７１、複数個のシート状ビームを有するシート状光学層７２、前記スクリーン７１の上部側辺と左側側辺に設置され、前記シート状光学層７２を発生、入力できる複数個の光源発生モジュール７３、及び前記スクリーン７１の底部側辺と右側側辺に設置される複数個の光線受信部材７４を含む。
そのうち、これらの光線受信部材７４の配置は、これらの光源発生モジュール７３が発生するこれらのシート状光学層７２がこれらの光線受信部材７４と相互に合わないことを確保する必要があり、それによって、これらの光線受信部材７４は、図２Ｂで示す前記実体物Ｆがこれらのシート状光学層７２に介入する前には、これらの光線受信部材７４は、如何に明確なビーム源も受信しない。
当然、前記実体物Ｆがこれらのシート状光学層７２に介入した後は、これらのシート状光学層７２に干渉した結果、複数個の反射ビームを有する光点を発生する。
【００５３】
当然、本実施例中でのこれらの光源発生モジュール７３の好ましい実施方式は、図３Ｆで示す通り、多数の発光部材Ｌ６０１〜Ｌ６０５を直接使用して発光源とし、またこれらの発光部材Ｌ６０１〜Ｌ６０5が発生する前記ビーム源Ｌ６１１〜Ｌ６１5は、互いに平行に外に発射するように変化する。
【００５４】
また、上述のこれらの発光部材の発光強度が低下することを考えると、エネルギーとコストを節約するために比較的好ましい方法は、更に別の光経路修正構造（図示せず）を含み、これによってこれらのシート状ビームＬＢ１１〜ＬＢ１５、ＬＢ２１〜ＬＢ２５、ＬＢ３１〜ＬＢ３５、ＬＢ４１〜ＬＢ４５、ＬＢ５１〜ＬＢ５５を、前記実体物Ｆが介入する作用区域中（即ち更に集中して導入し、前記実体物Ｆが介入する感測区域を感測することができる）に導入する。
このように、前記実体物Ｆがまだ前記作用区域に介入していない時は、前記別の光経路修正構造を通って、光源は回收、且つ繰り返し利用され、これによって省エネルギーや低コストの効果を達成できる。
当然、別の光経路修正構造は、複数個の平面反射レンズ、或いは複数個の曲面反射レンズを含むことができる。
【００５５】
上述の実施例は本考案の技術思想及び特徴を説明するためのものにすぎず、当該技術分野を熟知する者に本考案の内容を理解させると共にこれをもって実施させることを目的とし、本考案の特許範囲を限定するものではない。従って、本考案の精神を逸脱せずに行う各種の同様の効果をもつ改良又は変更は、後述の請求項に含まれるものとする。
【符号の説明】
【００５６】
（図１Ａ〜図１Ｃ）
１０、２０、３０  ポインター入力装置
１１  使用者
１２、２１、３１  スクリーン
１３  背面投射型投影装置
１４、２２、２３  検知装置
Ｉ１１  投影ビーム範囲
Ｉ１２  検知ビーム範囲
Ｍ  伝送動作
Ｘ１、Ｘ２、Ｘ３  対応表示位置
２４、２５  発光光線
Ｉ２１  発光光線のビーム
３２  光線発射部材
３３  光線受信部材
Ｉ３１  光線発射部材３２のビーム
（図２Ａ〜図５）
４０、５０、６０、７０  ポインター入力装置
４１、５１、６１、７１  スクリーン
４２、５２、６２、７２  シート状光学層
４３、５３、６３、７３  光源発生モジュール
４４  投影装置
４５、５４、６４、７４  検知装置
Ｉ４１  投影ビーム範囲
Ｉ４２、Ｉ５１  検知ビーム範囲
Ｆ  実体物
ＬＲ１〜ＬＲ５  複数個の反射ビーム
Ｘ４  対応表示位置
Ｌ１０、Ｌ２０、Ｌ３０、Ｌ４０、Ｌ５０１〜Ｌ５０２、Ｌ６０１〜Ｌ６０５  発光部材
Ｌ１１、Ｌ２１、Ｌ３１、Ｌ４１、Ｌ５１１〜Ｌ５１２、Ｌ６１１〜Ｌ６１２  ビーム源
Ｄ１１〜Ｄ１５、Ｄ２、Ｄ３１、Ｄ３２、Ｄ４、Ｄ５  光経路修正構造
ＬＢ１１〜ＬＢ１５、ＬＢ２１〜ＬＢ２５、ＬＢ３１〜ＬＢ３５、ＬＢ４１〜ＬＢ４５、ＬＢ５１〜ＬＢ５５  複数個のシート状ビーム
【図１Ａ】
0003161486.tif 000003
【図１Ｂ】
0003161486.tif 000004
【図１Ｃ】
0003161486.tif 000005
【図２Ａ】
0003161486.tif 000006
【図２Ｂ】
0003161486.tif 000007
【図３Ａ】
0003161486.tif 000008
【図３Ｂ】
0003161486.tif 000009
【図３Ｃ】
0003161486.tif 000010
【図３Ｄ】
0003161486.tif 000011
【図３Ｅ】
0003161486.tif 000012
【図３Ｆ】
0003161486.tif 000013
【図４】
0003161486.tif 000014
【図５】
0003161486.tif 000015
【図６】
0003161486.tif 000016